(57)【要約】  パケット交換型のネットワーク（ＰＮＷ）、殊にインターネットと接続されている通信機器（ＫＧ）を他の加入者、殊に遠方の加入者との通信に関してほぼ自動的にコンフィギュレートするために、コンフィギュレーション／ソフトウェア更新サーバ（ＫＳＳ）におけるコンフィギュレーションデータ（ＫＦＤ）を供給し、このコンフィギュレーションデータ（ＫＦＤ）が機器のユーザによって、ユーザまたは機器固有の状況に応じて、この状況を特徴付ける少なくとも２種類の問合せデータ、例えば第１の問合せデータ（ＡＤ１）および「インターネットサービスプロバイダ（ＩＳＰ）」情報を包含する第２の問合せデータ（ＡＤ２）、決定データ（ＥＤ１，ＥＤ２）の選択によって呼び出される。
2008546265.tif 000002
【特許請求の範囲】
【請求項１】
パケット交換型のネットワーク（ＰＮＷ）、例えばインターネットと接続されている通信機器（ＫＧ）においてコンフィギュレーション／ソフトウェア更新を実施するためのデータを伝送する方法において、
ａ）インターネットを介してコンフィギュレーション／ソフトウェア更新サーバ（ＫＳＳ）と前記通信機器（ＫＧ）を物理的に接続し（ＰＶＢ）、
ｂ）インターネットベースの通信に関して前記通信機器（ＫＧ）をコンフィギュレートするために該通信機器（ＫＧ）を初期設定状態（ＩＮＺ）に移行させ、該初期設定状態（ＩＮＺ）において前記通信機器（ＫＧ）のユーザによるコマンド（ソフトキー「はい」）の入力によりコンフィギュレーションを開始し、
ｃ）前記コンフィギュレーションの開始により、前記通信機器（ＫＧ）が前記コンフィギュレーション／ソフトウェア更新サーバ（ＫＳＳ）との論理的なコネクション（ＬＶＢ）を確立し、前記コンフィギュレーション／ソフトウェア更新サーバ（ＫＳＳ）は、前記通信機器（ＫＧ）に対して伝送されるべきコンフィギュレーションデータ（ＫＦＤ）を求めるために、少なくとも２種類の問合せデータ、第１の問合せデータ（ＡＤ１）および第２の問合せデータ（ＡＤ２）を前記通信機器（ＫＧ）に伝送し、
ｄ）前記通信機器（ＫＧ）を前記第１の問合せデータ（ＡＤ１）および前記第２の問合せデータ（ＡＤ２）の受信後にその都度入力状態（ＥＩＺ）に移行させ、該入力状態（ＥＩＺ）において前記コンフィギュレーションデータ（ＫＦＤ）を求めるために前記通信機器（ＫＧ）のユーザによる相応の入力（ソフトキー「ＯＫ」）により前記第１の問合せデータ（ＡＤ１）から第１の決定データ（ＥＤ１）を選択し、前記第２の問合せデータ（ＡＤ２）から第２の決定データ（ＥＤ２）を選択し、それぞれ選択された決定データ（ＥＤ１，ＥＤ２）をコンフィギュレーション／ソフトウェア更新サーバ（ＫＳＳ）に伝送し、
ｅ）前記コンフィギュレーション／ソフトウェア更新サーバ（ＫＳＳ）はコンフィギュレーションデータバンク（ＫＤＢ）から、受信した第１の決定データ（ＥＤ１）および第２の決定データ（ＥＤ２）に対応する前記通信機器（ＫＧ）に関するコンフィギュレーションデータ（ＫＦＤ）を読み出し、該コンフィギュレーションデータ（ＫＦＤ）を前記通信機器（ＫＧ）に伝送することを特徴とする、通信機器（ＫＧ）においてコンフィギュレーション／ソフトウェア更新を実施するためのデータを伝送する方法。
【請求項２】
ａ）前記コンフィギュレーション／ソフトウェア更新サーバ（ＫＳＳ）は、前記通信機器（ＫＧ）に関するソフトウェア更新を実施するために、伝送される前記コンフィギュレーションデータ（ＫＦＤ）に対応する指示データ（ＨＷＤ）を前記通信機器（ＫＧ）に伝送し、
ｂ）前記通信機器（ＫＧ）を前記指示データ（ＨＷＤ）の受信後に入力状態（ＥＩＺ）に移行させ、該入力状態（ＥＩＺ）において前記通信機器（ＫＧ）のユーザによる別のコマンド（ソフトキー「はい」）の入力によりソフトウェア更新を開始し、
ｃ）前記コンフィギュレーション／ソフトウェア更新サーバ（ＫＳＳ）はソフトウェア更新データバンク（ＳＷＤＢ）から、前記通信機器（ＫＧ）に関する前記指示データ（ＨＷＤ）に対応するソフトウェア更新データ（ＳＷＡＤ）を読み出し、該ソフトウェア更新データ（ＳＷＡＤ）を前記通信機器（ＫＧ）に伝送する、請求項１記載の方法。
【請求項３】
前記問合せデータ（ＡＤ１，ＡＤ２）および前記指示データ（ＨＷＤ）を制御情報（ＳＴＩ）により補完し、該制御情報（ＳＴＩ）を用いて前記通信機器（ＫＧ）を前記入力状態（ＥＩＺ）において制御する、請求項１または２記載の方法。
【請求項４】
前記制御情報（ＳＴＩ）を用いて前記通信機器（ＫＧ）のユーザにユーザ名（ＢＮ）およびパスワード（ＫＷ）の入力を要求する、請求項３記載の方法。
【請求項５】
前記第１の問合せデータ（ＡＤ１）は国情報を包含し、前記第２の問合せデータ（ＡＤ２）は「インターネットサービスプロバイダ（ＩＳＰ）」情報を包含する、請求項１記載の方法。
【請求項６】
前記第１の算出データ（ＥＤ１）により、どの国において前記通信機器（ＫＧ）はインターネットと接続されているかを表す、請求項１記載の方法。
【請求項７】
前記第２の決定データ（ＥＤ２）により、どの「インターネットサービスプロバイダ」を介して前記通信機器（ＫＧ）はインターネットと接続されるかを表す、請求項１記載の方法。
【請求項８】
前記ユーザのコマンド、前記第１の決定データ（ＥＤ１）および前記第２の決定データ（ＥＤ２）をキーおよび／または音声により入力する、請求項１または２記載の方法。
【請求項９】
前記問合せデータ（ＡＤ１，ＡＤ２）および前記指示データ（ＨＷＤ）を音響的および／または光学的に出力する、請求項１または２記載の方法。
【請求項１０】
パケット交換型のネットワーク（ＰＮＷ）および回線交換型のネットワーク（ＬＮＷ）とそれぞれ接続されているＤＥＣＴ基地局（ＢＳ）を有し、「ボイスオーバーインターネットプロトコル」、「セッション開始プロトコル」、「メッセージング」、「Ｅメール」および／または「Ｅメール通知」の機能を備えたＤＥＣＴ電話のＤＥＣＴモバイルユニット（ＭＴ）を前記通信機器（ＫＧ）として使用する、請求項１記載の方法。
【請求項１１】
パケット交換型のネットワーク（ＰＮＷ）および回線交換型のネットワーク（ＬＮＷ）とそれぞれ接続されている「ＷＬＡＮアクセスポイント」（ＡＰ）を有し、「ボイスオーバーインターネットプロトコル」、「セッション開始プロトコル」、「メッセージング」、「Ｅメール」および／または「Ｅメール通知」の機能を備えたＷＬＡＮ電話のＷＬＡＮモバイルユニット（ＭＴ）を前記通信機器（ＫＧ）として使用する、請求項１記載の方法。
【請求項１２】
「セットトップボックス」および／またはルータを前記通信機器（ＫＧ）として使用する、請求項１記載の方法。
【請求項１３】
パケット交換型のネットワーク（ＰＮＷ）、例えばインターネットと接続されている機器においてコンフィギュレーション／ソフトウェア更新を実施するためのデータを伝送する通信機器（ＫＧ）において、
ａ）インターネット／機器インタフェース（ＩＧＳ）を有し、該インターネット／機器インタフェース（ＩＧＳ）を介して前記通信機器（ＫＧ）はコンフィギュレーション／ソフトウェア更新サーバ（ＫＳＳ）と物理的に接続されており（ＰＶＢ）、
ｂ）ユーザインタフェース（ＢＳＳ，ＤＰＬ，ＨＫ，ＭＩＫ，ＴＡＳ）、所属のコンフィギュレーションデータメモリ（ＫＤＳ）を備えた中央制御装置（ＺＳＥ）および前記インターネット／機器インタフェース（ＩＧＳ）は以下のように構成されており、且つ前記中央制御装置（ＺＳＥ）は前記ユーザインタフェース（ＢＳＳ，ＤＰＬ，ＨＫ，ＭＩＫ，ＴＡＳ）および前記インターネット／機器インタフェース（ＩＧＳ）と以下のように接続されており、
ｂ１）インターネットベースの通信に関して前記通信機器（ＫＧ）をコンフィギュレートするために、前記ユーザインタフェース（ＢＳＳ，ＤＰＬ，ＨＫ，ＭＩＫ，ＴＡＳ）を介する入力により、前記通信機器（ＫＧ）の初期設定状態（ＩＮＺ）が発生され、
ｂ２）前記初期設定状態（ＩＮＺ）において、前記ユーザインタフェース（ＢＳＳ，ＤＰＬ，ＨＫ，ＭＩＫ，ＴＡＳ）を介するコマンド（ソフトキー「はい」）の入力によりコンフィギュレーションが開始され、
ｂ３）前記コンフィギュレーションの開始により、前記インターネット／機器インタフェース（ＩＧＳ）を介して前記コンフィギュレーション／ソフトウェア更新サーバ（ＫＳＳ）との論理的なコネクション（ＬＶＢ）が確立され、
ｂ４）前記通信機器（ＫＧ）に対して伝送されるべきコンフィギュレーションデータ（ＫＦＤ）を求めるために、前記コンフィギュレーション／ソフトウェア更新サーバ（ＫＳＳ）から送信された少なくとも２種類の問合せデータ、第１の問合せデータ（ＡＤ１）および第２の問合せデータ（ＡＤ２）が前記インターネット／機器インタフェース（ＩＧＳ）を介して受信され、前記中央制御装置（ＺＳＥ）に転送され、
ｂ５）転送された前記第１の問合せデータ（ＡＤ１）および前記第２の問合せデータ（ＡＤ２）が前記中央制御装置（ＺＳＥ）によって前記ユーザインタフェース（ＢＳＳ，ＤＰＬ，ＨＫ，ＭＩＫ，ＴＡＳ）を介して出力され、その都度前記通信機器（ＫＧ）の入力状態（ＥＩＺ）が発生され、
ｂ６）前記入力状態（ＥＩＺ）において、前記ユーザインタフェース（ＢＳＳ，ＤＰＬ，ＨＫ，ＭＩＫ，ＴＡＳ）を介する入力（ソフトキー「ＯＫ」）により、前記コンフィギュレーションデータ（ＫＦＤ）を求めるために、前記第１の問合せデータ（ＡＤ１）から第１の決定データ（ＥＤ１）が選択され、前記第２の問合せデータ（ＡＤ２）から第２の決定データ（ＥＤ２）が選択され、それぞれ前記中央制御装置（ＺＳＥ）から前記インターネット／機器インタフェース（ＩＧＳ）を介して前記コンフィギュレーション／ソフトウェア更新サーバ（ＫＳＳ）に伝送され、
ｂ７）前記コンフィギュレーション／ソフトウェア更新サーバ（ＫＳＳ）から送信された、前記第１の決定データ（ＥＤ１）および前記第２の決定データ（ＥＤ２）に対応する前記通信機器（ＫＧ）に関するコンフィギュレーションデータ（ＫＦＤ）が前記インターネット／機器インタフェース（ＩＧＳ）を介して受信され、前記中央制御装置（ＺＳＥ）に転送され、該中央制御装置（ＺＳＥ）において前記コンフィギュレーションデータ（ＫＦＤ）がコンフィギュレーションデータメモリ（ＫＤＳ）に記憶されることを特徴とする、機器においてコンフィギュレーション／ソフトウェア更新を実施するためのデータを伝送する通信機器（ＫＧ）。
【請求項１４】
前記ユーザインタフェース（ＢＳＳ，ＤＰＬ，ＨＫ，ＭＩＫ，ＴＡＳ）、所属のソフトウェア更新データメモリ（ＳＷＤＳ）を備えた前記中央制御装置（ＺＳＥ）および前記インターネット／機器インタフェース（ＩＧＳ）は以下のように構成されており、且つ前記中央制御装置（ＺＳＥ）は前記ユーザインタフェース（ＢＳＳ，ＤＰＬ，ＨＫ，ＭＩＫ，ＴＡＳ）および前記インターネット／機器インタフェース（ＩＧＳ）と以下のように接続されており、
ａ）前記通信機器（ＫＧ）に関してソフトウェア更新を実施するために、伝送される前記コンフィギュレーションデータ（ＫＦＤ）に対応する、前記コンフィギュレーション／ソフトウェア更新サーバ（ＫＳＳ）からの指示データ（ＨＷＤ）が前記インターネット／機器インタフェース（ＩＧＳ）を介して受信され、前記中央制御装置（ＺＳＥ）に転送され、
ｂ）転送された前記指示データ（ＨＷＤ）が前記中央制御装置（ＺＳＥ）によって前記ユーザインタフェース（ＢＳＳ，ＤＰＬ，ＨＫ，ＭＩＫ，ＴＡＳ）を介して出力され、前記通信機器（ＫＧ）の入力状態（ＥＩＺ）が発生され、
ｃ）前記入力状態（ＥＩＺ）において、前記ユーザインタフェース（ＢＳＳ，ＤＰＬ，ＨＫ，ＭＩＫ，ＴＡＳ）を介する別のコマンド（ソフトキー「はい」）の入力によりソフトウェア更新が開始され、
ｄ）前記コンフィギュレーション／ソフトウェア更新サーバ（ＫＳＳ）から送信された、前記指示データ（ＨＷＤ）に対応する前記通信機器（ＫＧ）に関するソフトウェア更新データ（ＳＷＡＤ）が前記インターネット／機器インタフェース（ＩＧＳ）を介して受信され、前記中央制御装置（ＺＳＥ）に転送され、該中央制御装置（ＺＳＥ）において前記ソフトウェア更新データ（ＳＷＡＤ）がソフトウェア更新データメモリ（ＫＤＳ）に記憶される、請求項１３記載の通信機器（ＫＧ）。
【請求項１５】
前記問合せデータ（ＡＤ１，ＡＤ２）および前記指示データ（ＨＷＤ）は制御情報（ＳＴＩ）を有する、請求項１３または１４記載の通信機器（ＫＧ）。
【請求項１６】
前記中央制御装置（ＺＳＥ）には選択手段（ＡＷＭ）が対応付けられており、該選択手段（ＡＷＭ）は問合せデータ（ＡＤ１，ＡＤ２）および指示データ（ＨＷＤ）に包含されている前記制御情報（ＳＴＩ）を評価し、前記中央制御装置（ＺＳＥ）は前記評価に従い前記ユーザインタフェース（ＢＳＳ，ＤＰＬ，ＨＫ，ＭＩＫ，ＴＡＳ）を介して前記入力状態（ＥＩＺ）を発生させる、請求項１５記載の通信機器（ＫＧ）。
【請求項１７】
前記制御情報（ＳＴＩ）は、前記中央制御装置（ＺＳＥ）および前記ユーザインタフェース（ＢＳＳ，ＤＰＬ，ＨＫ，ＭＩＫ，ＴＡＳ）により発生された前記入力状態（ＥＩＺ）において前記通信機器（ＫＧ）のユーザがユーザ名（ＢＮ）およびパスワード（ＫＷ）の入力を要求されることにより取得されている、請求項１６記載の通信機器（ＫＧ）。
【請求項１８】
前記第１の問合せデータ（ＡＤ１）には国情報が包含されており、前記第２の問合せデータ（ＡＤ２）には「インターネットサービスプロバイダ（ＩＳＰ）」情報が包含されている、請求項１３記載の通信機器（ＫＧ）。
【請求項１９】
前記第１の決定データ（ＥＤ１）により、どの国において前記通信機器（ＫＧ）がインターネットと接続されているかを表す、請求項１３記載の通信機器（ＫＧ）。
【請求項２０】
前記第２の決定データ（ＥＤ２）により、どの「インターネットサービスプロバイダ」を介して前記通信機器（ＫＧ）がインターネットと接続されているかを表す、請求項１３記載の通信機器（ＫＧ）。
【請求項２１】
前記ユーザインタフェース（ＢＳＳ，ＤＰＬ，ＨＫ，ＭＩＫ，ＴＡＳ）は、前記ユーザのコマンド、前記第１の決定データ（ＥＤ１）および前記第２の決定データ（ＥＤ２）がキーおよび／または音声により入力されるように構成されている、請求項１３または１４記載の通信機器（ＫＧ）。
【請求項２２】
前記ユーザインタフェース（ＢＳＳ，ＤＰＬ，ＨＫ，ＭＩＫ，ＴＡＳ）は、前記問合せデータ（ＡＤ１）および前記指示データ（ＨＷＤ）が音響的および／または光学的に出力されるように構成されている、請求項１３または１４記載の通信機器（ＫＧ）。
【請求項２３】
パケット交換型のネットワーク（ＰＮＷ）および回線交換型のネットワーク（ＬＮＷ）とそれぞれ接続されているＤＥＣＴ基地局（ＢＳ）を有し、「ボイスオーバーインターネットプロトコル」、「セッション開始プロトコル」、「メッセージング」、「Ｅメール」および／または「Ｅメール通知」の機能を備えたＤＥＣＴ電話のＤＥＣＴモバイルユニット（ＭＴ）が設けられている、請求項１３記載の通信機器（ＫＧ）。
【請求項２４】
パケット交換型のネットワーク（ＰＮＷ）および回線交換型のネットワーク（ＬＮＷ）とそれぞれ接続されている「ＷＬＡＮアクセスポイント」を有し、「ボイスオーバーインターネットプロトコル」、「セッション開始プロトコル」、「メッセージング」、「Ｅメール」および／または「Ｅメール通知」の機能を備えたＷＬＡＮ電話のＷＬＡＮモバイルユニット（ＭＴ）が設けられている、請求項１３記載の通信機器（ＫＧ）。
【請求項２５】
「セットトップボックス」および／またはルータを前記通信機器（ＫＧ）が設けられている、請求項１３記載の通信機器（ＫＧ）。
【請求項２６】
パケット交換型のネットワーク（ＰＮＷ）、例えばインターネットと接続されている機器（ＫＧ）においてコンフィギュレーション／ソフトウェア更新を実施するためのデータを伝送するコンフィギュレーション／ソフトウェア更新サーバ（ＫＳＳ）において、
ａ）インターネット／サーバインタフェース（ＩＳＳ）を有し、該インターネット／サーバインタフェース（ＩＳＳ）を介してコンフィギュレーション／ソフトウェア更新サーバ（ＫＳＳ）は前記通信機器（ＫＧ）と物理的に接続されており、
ｂ）コンフィギュレーションデータバンク（ＫＤＢ）を有する中央制御ユニット（ＺＳＴＥ）および前記インターネット／サーバインタフェース（ＩＳＳ）は以下のように構成されており、且つ相互に接続されており、
ｂ１）前記通信機器（ＫＧ）による前記インターネット／サーバインタフェース（ＩＳＳ）を介する前記通信機器（ＫＧ）と前記中央制御ユニット（ＺＳＴＥ）との間の論理的なコネクション（ＬＶＢ）の確立後に、前記通信機器（ＫＧ）の初期設定状態（ＩＮＺ）において、前記中央制御ユニット（ＺＳＴＥ）が前記コンフィギュレーションデータバンク（ＫＤＢ）の記憶領域（ＳＰＢ）から、前記通信機器（ＫＧ）に対して伝送すべきコンフィギュレーションデータ（ＫＦＤ）を求めるために、少なくとも２種類の問合せデータ、第１の問合せデータ（ＡＤ１）および第２の問合せデータ（ＡＤ２）を読み出し、前記インターネット／サーバインタフェース（ＩＳＳ）を介して前記通信機器（ＫＧ）に伝送し、
ｂ２）前記中央制御ユニット（ＺＳＴＥ）は、前記コンフィギュレーションデータ（ＫＦＤ）を求めるために、入力状態（ＥＩＺ）において前記通信機器（ＫＧ）により前記第１の問合せデータ（ＡＤ１）および前記第２の問合せデータ（ＡＤ２）から選択された決定データ、第１の決定データ（ＥＤ１）および第２の決定データ（ＥＤ２）を前記インターネット／サーバインタフェース（ＩＳＳ）を介して受信し、前記第１の決定データ（ＥＤ１）および前記第２の決定データ（ＥＤ２）に対応する前記通信機器（ＫＧ）に関するコンフィギュレーションデータ（ＫＦＤ）を前記コンフィギュレーションデータバンク（ＫＤＢ）から読み出し、該コンフィギュレーションデータ（ＫＦＤ）を前記インターネット／サーバインタフェース（ＩＳＳ）を介して前記通信機器（ＫＧ）に伝送することを特徴とする、機器（ＫＧ）においてコンフィギュレーション／ソフトウェア更新を実施するためのデータを伝送するコンフィギュレーション／ソフトウェア更新サーバ（ＫＳＳ）。
【請求項２７】
ソフトウェア更新データバンク（ＳＷＤＢ）および情報記憶領域（ＩＳＰＢ）を有する前記中央制御ユニット（ＺＳＴＥ）ならびに前記インターネット／サーバインタフェース（ＩＳＳ）は以下のように構成されており、且つ相互に接続されており、
ａ）前記中央制御ユニット（ＺＳＴＥ）は前記ソフトウェア更新データバンク（ＳＷＤＢ）の情報記憶領域（ＩＳＰＢ）から、前記通信機器（ＫＧ）に関するソフトウェア更新を実施するための、伝送されるコンフィギュレーションデータ（ＫＦＤ）に対応する指示データ（ＨＷＤ）を読み出し、該指示データ（ＨＷＤ）を前記インターネット／サーバインタフェース（ＩＳＳ）を介して前記通信機器（ＫＧ）に伝送し、
ｂ）前記通信機器（ＫＧ）から入力状態（ＥＩＺ）においてソフトウェア更新を実施するためのイネーブル信号を受信する前記中央制御ユニット（ＺＳＴＥ）は、前記指示データ（ＨＷＤ）に対応する前記通信機器（ＫＧ）に関するソフトウェア更新データ（ＳＷＡＤ）を前記ソフトウェア更新データバンク（ＳＷＤＢ）から読み出し、該ソフトウェア更新データ（ＳＷＡＤ）を前記インターネット／サーバインタフェース（ＩＳＳ）を介して前記通信機器（ＫＧ）に伝送する、請求項２６記載のコンフィギュレーション／ソフトウェア更新サーバ（ＫＳＳ）。
【請求項２８】
前記問合せデータ（ＡＤ１，ＡＤ２）および前記指示データ（ＨＷＤ）は制御情報（ＳＴＩ）を有する、請求項２６または２７記載のコンフィギュレーション／ソフトウェア更新サーバ（ＫＳＳ）。
【請求項２９】
前記第１の問合せデータ（ＡＤ１）には国情報が包含されており、前記第２の問合せデータ（ＡＤ２）には「インターネットサービスプロバイダ（ＩＳＰ）」情報が包含されている、請求項２６記載のコンフィギュレーション／ソフトウェア更新サーバ（ＫＳＳ）。
【請求項３０】
前記第１の決定データ（ＥＤ１）により、どの国において前記通信機器（ＫＧ）がインターネットと接続されているかを表す、請求項２６記載のコンフィギュレーション／ソフトウェア更新サーバ（ＫＳＳ）。
【請求項３１】
前記第２の決定データ（ＥＤ２）により、どの「インターネットサービスプロバイダ」を介して前記通信機器（ＫＧ）がインターネットと接続されているかを表す、請求項２６記載のコンフィギュレーション／ソフトウェア更新サーバ（ＫＳＳ）。
【発明の詳細な説明】
【技術分野】
【０００１】
インターネット通信に関してインターネットサービスプロバイダ（Internet-Service-Provider(ISP)）に登録されており、パケット交換型のネットワーク、例えばインターネットと接続されている通信機器は、
（ｉ）種々のサービス、例えば「ボイスオーバーインターネット・プロトコル（ＶｏＩＰ）」、「セッション開始プロトコル（ＳＩＰ）」、「メッセージング」、「Ｅメール」および／または「Ｅメール通知」のために設計されており、また
（ｉｉ）例えば、それぞれパケット交換型および回線交換型のネットワークに接続されているＤＥＣＴ基地局を使用するＤＥＣＴ電話（デジタルコードレス電話：Digital Enhanced Cordless Telecommunications）のＤＥＣＴモバイルユニットとして、それぞれパケット交換型および回線交換型のネットワークに接続されている「ＷＬＡＮアクセスポイント」を使用するＷＬＡＮ電話（無線ローカルエリアネットワーク：Wireless Local Area Network）のＷＬＡＮモバイルユニットとして、「セットトップボックス（ＳＴＢ）」および／またはルータとして構成することができ、
このような通信機器は回線交換型のネットワークと接続されている古典的な通信機器、例えばＰＳＴＮ電話（公衆交換電話網：Public Switched Telephone Network）とは異なり使用前に、例えばウェブサーバを介して手動で入力されているか、機器内で事前にコンフィギュレートされていなければならないプロバイダ固有の多数のセッティングを必要とする。これらの機器の簡単な起動は容易ではないため、これにより「インターネットサービスプロバイダ」に依存しない流通機器の市場販売が大幅に制限される。さらには、効率的に変更することができるプロバイダ固有のコンフィギュレーションは既存の方法では容易ではない。
【０００２】
通信装置のプロバイダ固有のヴァリエーションは事前にコンフィギュレートされるか、「遠隔管理システム」（例えば、規格「ＴＲ  ０６９」に準拠するシステム）を介して遠方でコンフィギュレートされるのに対し、流通機器は手動でコンフィギュレートされなければならない。一般的にパラメータを変更する際、またはサービスプロバイダを変える際にはコンフィギュレーションを新たに実施しなければならない。さらにプロバイダ固有のコンフィギュレーションヴァリエーションのセッティングはしばしば静的に行われなければならないか、機器ソフトウェアの交換によって行われなければならない。
【０００３】
本発明が基礎とする課題は、パケット交換型のネットワーク、殊にインターネットと接続されている通信機器においてコンフィギュレーション／ソフトウェア更新を実施することを目的とするデータの伝送方法およびコンフィギュレーション／ソフトウェア更新サーバ、ならびにコンフィギュレーション／ソフトウェア更新のために必要とされるデータを用いて、他の加入者、殊に遠方の加入者との通信のために機器を使用する際にほぼ自動的にコンフィギュレートされ、必要に応じて機器ソフトウェアに関して更新される通信機器を提供することである。
【０００４】
この課題は請求項１の特徴部分、請求項１３の特徴部分および請求項２６の特徴部分に記載されている構成によりそれぞれ解決される。
【０００５】
本発明が基礎とする着想は、インターネットと接続されている通信機器のコンフィギュレーションのために必要とされるコンフィギュレーションパラメータ、例えばコンフィギュレーション／ソフトウェア更新サーバにおけるＶｏＩＰパラメータを供給し、これらのパラメータが機器のユーザによって、ユーザまたは機器固有の状況に応じて、この状況を特徴付ける少なくとも２種類の問合せデータ、例えば請求項５，１８および２９による国情報を包含する第１の問合せデータおよび請求項５，１８および２９による「インターネットサービスプロバイダ（ＩＳＰ）」情報を包含する第２の問合せデータ、決定データの選択によって呼び出されることである。通信機器が、冒頭で述べたように、流通機器であるか通信機器のプロバイダ固有のヴァリエーションであるかは重要ではない。
【０００６】
これによって通信機器のユーザはコンフィギュレーションパラメータの手動で誤りを含む入力から解放される。
【０００７】
その代わりに、インターネットと接続されている通信機器はむしろほぼ自動的に、ユーザに応じて、また必要に応じて請求項４および１７により、ユーザ名およびパスワードの入力により制御されてコンフィギュレーションパラメータを機器にロードし、続いてユーザにより選択された「インターネットサービスプロバイダ」を介するインターネットの直接的な利用が実現される。本発明によるアプローチはＶｏＩＰパラメータに制限されているものではなく、別のサービスに使用される、すなわち例えば請求項１０，１１，２３および２５に従い、ＳＩＰパラメータ、メッセージパラメータ、「Ｅメールアカウント」パラメータおよび／または「Ｅメール通知」パラメータに使用される。
【０００８】
本発明によりユーザは手動によるコンフィギュレーションの障害から解放されるだけでなく、事前に確保され制限された機器の購入からも解放される。本発明は殊に小さい機器プラットフォームに適しており、また「クライアント」と称される、インターネットドキュメント（ＷＷＷブラウザ）の検索のためのアプリケーションプログラムを有するパーソナルコンピュータを必要としない。ユーザインタフェースないし操作面の一部が動的にコンフィギュレーション／ソフトウェア更新サーバによって制御されることも特徴である。このためにサーバプロフィールに格納されているパラメータデータが制御情報によって補完され、機器におけるプロセスによってほぼ自動的に制御される。
【０００９】
つまり通信機器が例えば、請求項３，１６および２８による制御情報によって入力状態に移行される。この状態においては、ほぼ自動的なコンフィギュレーションパラメータのダウンロードが実現されるだけでなく、ほぼ自動的なソフトウェアダウンロード、パラメータダウンロードまたはプロフィールダウンロードも実行ないし開始される。このようにして機器は、ユーザが機器における変更を行う必要なく、ソフトウェアに関して常に更新されている（請求項２，１４，２７を参照されたい）。このことは同様に通信機器のユーザに動的に提供される新たなパラメータセットおよびプロフィールの取得にも該当する。
【００１０】
通信機器として請求項１０，１１，１２，２３，２４および２５によれば、有利にはＤＥＣＴ電話のＤＥＣＴモバイルユニット、ＷＬＡＮ電話のＷＬＡＮモバイルユニット、セットトップボックスおよびルータが対象となる。
【００１１】
本発明の付加的な有利な実施形態は従属請求項に記載されている。
【００１２】
本発明の実施例を図１および図２に基づき説明する。ここで、
図１は、インターネットと接続されている通信機器のコンフィギュレーション／ソフトウェア更新のために必要とされるコンフィギュレーションパラメータ／ソフトウェアのコンフィギュレーション／ソフトウェアサーバからの取得方法を示す。
【００１３】
図２はコンフィギュレーションパラメータを取得するためのフローチャートを示す。
【００１４】
図１は例えば、通信機器ＫＧを示し、この通信機器ＫＧはパケット交換型のネットワークＰＮＷ、例えばインターネットと接続されており、インターネット通信のためにコンフィギュレートされており、またこの通信のために必要とされるソフトウェアに関して、コンフィギュレーション／ソフトウェア更新サーバＫＳＳに格納されているコンフィギュレーションパラメータないしソフトウェアがこの通信機器ＫＧにロードされることにより更新される。この実施例において通信機器ＫＧはＤＥＣＴモバイルユニットＭＴと、パケット交換型のネットワークＰＮＷおよび回線交換型のネットワークＬＮＷ、公衆交換電話網（Public Switched Telephone Network: PSTN）に接続されているＤＥＣＴ基地局ＢＳとを有するＤＥＣＴ電話（Digital Enhanced Cordless Telecommunication）を包含し、これらＤＥＣＴモバイルユニットＭＴとＤＥＣＴ基地局ＢＳはＤＥＣＴエアインタフェースを介して無線通信のために相互に接続されている。
【００１５】
通信機器ＫＧのこの実施形態に択一的に、ＷＬＡＮモバイルユニットＭＴと、やはりパケット交換型のネットワークＰＮＷおよび回線交換型のネットワークＬＮＷに接続されているＷＬＡＮアクセスポイントＡＰとを有するＷＬＡＮ電話（無線ローカルエリアネットワーク）からなる通信機器ＫＧを設けることも可能であり、ＷＬＡＮモバイルユニットＭＴとＷＬＡＮアクセスポイントＡＰはＷＬＡＮエアインタフェースを介して無線通信のために相互に接続されている。さらに通信機器ＫＧが「セットトップボックス」および／またはルータであることも考えられる。
【００１６】
インターネット通信の枠内において通信機器ＫＧを用いて多数のサービスを利用することができる。それらのサービスは例えば「インターネットサービスプロバイダ（ＩＳＰ）」または、コンフィギュレーション／ソフトウェア更新サーバＫＳＳを所有しているか、そのような更新サーバを利用する他のプロバイダによって提供される。このサービスにはサービス「ボイスオーバーインターネット・プロトコル（ＶｏＩＰ）」の他に、サービス「セッション開始プロトコル（ＳＩＰ）」、「メッセージング」、「Ｅメール」および／または「Ｅメール通知」が含まれる。これらの提供される各サービスを利用するために通信機器ＫＧはそれぞれ相応のパラメータを必要とし、これらのパラメータはコンフィギュレーション／ソフトウェア更新サーバＫＳＳに記憶されている。
【００１７】
通信機器ＫＧのユーザが提供されるインターネットサービスを利用するために必要とされるデータをコンフィギュレーション／ソフトウェア更新サーバＫＳＳから実質的に自動的に通信機器ＫＧにロードできるようにするために、ユーザによって幾つかの措置が通信機器ＫＧにおいて実行されるべきである。この措置には例えばコンフィギュレーションおよび／またはソフトウェアの更新が含まれる。これらの措置を詳細に説明する前に、このために必要とされる、ＤＥＣＴ基地局ＢＳおよびＤＥＣＴモバイルユニットＭＴからなる通信機器の構造ならびにコンフィギュレーション／ソフトウェア更新サーバＫＳＳを説明する。
【００１８】
パケット交換型のネットワークＰＮＷおよび回線交換型のネットワークＬＮＷに接続されている基地局ＢＳはＤＥＣＴ規格に準拠したエアインタフェースを実現するために無線部ＦＫＴおよび中央制御部ＺＳＴをさらに有しており、これらの無線部ＦＫＴと中央制御部ＺＳＴは相互に接続されている。さらには、パケット交換型のネットワークＰＮＷとの接続のためにインターネットインタフェース／機器インタフェースＩＧＳが設けられており、このインタフェースＩＧＳは同様に中央制御部ＺＳＴと接続されている。さらに回線交換型のネットワークＬＮＷとの接続のために基地局ＢＳには中央制御部ＺＳＴと同様に接続されているＰＳＴ／機器インタフェースＰＧＳが包含されている。
【００１９】
移動部ＭＴがＤＥＣＴ標準に従い無線で基地局ＢＳと通信できるようにするために、移動部ＭＴは同様に無線部ＦＫＴおよび中央制御装置ＺＳＥを有し、これらもまた相互に接続されている。インターネットサービスの利用に関してコンフィギュレーションデータＫＦＤおよびソフトウェア更新データＳＷＡＤをロードするための前述の措置を実施するために、モバイルユニットＭＴはさらにコンフィギュレーションデータメモリＫＤＳ、ソフトウェア更新データメモリＳＷＤＳ、選択手段ＡＷＭおよびユーザインタフェースＢＳＳを有する。選択手段ＡＷＭは有利には直接的に中央制御装置ＺＳＥ内に組み込まれているが、コンフィギュレーションデータメモリＫＤＳ、ソフトウェア更新データメモリＳＷＤＳおよびユーザインタフェースＢＳＳは中央制御装置ＺＳＥと接続されている。ユーザインタフェースＢＳＳは音声の入出力のためのマイクロフォンＭＩＫおよびイヤホン、ならびに情報の入出力のための複数のキーＴＡＳを備えたキードフィールドおよびディスプレイＤＰＬを包含する。
【００２０】
コンフィギュレーション／ソフトウェア更新サーバＫＳＳはインターネット／サーバインタフェースＩＳＳを介してパケット交換型のネットワークＰＮＷに対応付けられている。データ伝送のために、コンフィギュレーション／ソフトウェア更新サーバＫＳＳにはインターネット／サーバインタフェースＩＳＳの他にコンフィギュレーションデータバンクＫＤＢ、ソフトウェア更新データバンクＳＷＤＢおよび中央制御ユニットＺＳＴＥが設けられており、中央制御ユニットＺＳＴＥはインターネット／サーバインタフェースＩＳＳに接続されており、またコンフィギュレーションデータバンクＫＤＢおよびソフトウェア更新データバンクＳＷＤＢにも接続されている。このデータ伝送を制御するために、コンフィギュレーション／ソフトウェア更新サーバＫＳＳはコンフィギュレーションデータバンクＫＤＢ内にさらに記憶領域ＳＰＢを有し、またソフトウェア更新データバンクＳＷＤＢ内に情報記憶領域ＩＳＰＢを有し、これらの２つの記憶領域は同様に中央制御ユニットＺＳＴＥと接続されている。
【００２１】
通信機器ＫＧにおけるコンフィギュレーションを実施するためのデータの伝送は、通信機器ＫＧとコンフィギュレーション／ソフトウェア更新サーバＫＳＳとの間の物理的なコネクションＰＶＢを確立するために基地局ＢＳをパケット交換型のネットワークＰＮＷに接続することによってモバイルユニットＭＴが初期設定状態ＩＮＺに移行されることにより開始される。この初期設定状態ＩＮＺにおいてはモバイルユニットＭＴのディスプレイＤＰＬ上に指示テキスト「ＶｏＩＰコネクションアシスタントを開始しますか？」がソフトキー「はい」およびソフトキー「いいえ」と共に出力される。これに基づきモバイルユニットＭＴのユーザによってソフトキー「はい」が操作されると、コンフィギュレーションが開始される。このコンフィギュレーションの開始により移動部ＭＴは基地局ＢＳを介してコンフィギュレーション／ソフトウェア更新サーバＫＳＳとの論理的なコネクションＬＶＢを確立し、例えば論理的なコネクションの確立と共にモバイルユニット固有の機器識別子、例えばＩＰＵＩ、ＭＡＣアドレスまたはサーバには既知であるランダムにデフォルトで形成されるデータを伝送することによってサーバにおいて認証される。コンフィギュレーション／ソフトウェア更新サーバＫＳＳの中央制御ユニットＺＳＴＥによって識別されるこの論理的なコネクションの確立により、この中央制御ユニットＺＳＴＥはコンフィギュレーションデータバンクＫＤＢの記憶領域ＳＰＢから第１の問合せデータＡＤ１および第２の問合せデータＡＤ２を読み出し、これらの問合せデータＡＤ１，ＡＤ２を通信機器ＫＧに対して伝送されるべきコンフィギュレーションデータＫＦＤを求めるためにインターネット／サーバインタフェースＩＳＳ、物理的なコネクションＰＶＢおよびインターネット／機器インタフェースＩＧＳを介して基地局ＢＳの中央制御部ＺＳＴに伝送する。この中央制御部ＺＳＴから問合せデータＡＤ１，ＡＤ２がＤＥＣＴエアインタフェースを介してモバイルユニットＭＴ内の中央制御装置ＺＳＥに伝送される。
【００２２】
問合せデータＡＤ１，ＡＤ２はモバイルユニットＭＴにおいて有利には光学的にユーザインタフェースＢＢＳのディスプレイＤＰＬを介して出力される。しかしながら、この問合せデータＡＤ１，ＡＤ２を例えばユーザインタフェースＢＢＳのイヤホンＨＫを介して音響的に出力することも可能である。
【００２３】
第１の問合せデータＡＤ１は国情報、すなわち例えばモバイルユニットＭＴないし通信機器ＫＧが製造メーカの見解から流通される国の情報を内容とし、他方第２の問合せデータＡＤ２は「インターネットサービスプロバイダ（ＩＳＰ）」情報、すなわち例えばある国において機器の顧客にとっての潜在的な「インターネットサービスプロバイダ（ＩＳＰ）」となるプロバイダに関する情報を内容とする。
【００２４】
問合せデータＡＤ１，ＡＤ２の伝送と共に、コンフィギュレーション／ソフトウェア更新サーバＫＳＳから制御情報ＳＴＩが伝送され、この制御情報ＳＴＩによりモバイルユニットＭＴを初期設定状態ＩＮＺの後続状態において制御することができる。このために中央制御装置ＺＳＥ内には選択手段ＡＷＭが設けられており、これらの選択手段ＡＷＭは問合せデータＡＤ１，ＡＤ２と共に伝送される制御情報ＳＴＩを評価する。この評価の結果、中央制御装置ＺＳＥによってユーザインタフェースＢＳＳを介して入力状態ＥＩＺが形成され、ディスプレイＤＰＬに表示される。第１の入力状態ＥＩＺ１においてはモバイルユニットＭＴのディスプレイＤＰＬ上に別の指示テキスト「ＶｏＩＰプロバイダの選択を開始しますか？」がやはりソフトキー「はい」およびソフトキー「いいえ」と共に出力される。これに基づきモバイルユニットＭＴのユーザによってソフトキー「はい」が操作されると、ユーザはモバイルユニットＭＴのディスプレイＤＰＬ上の相応の出力によって第２の入力状態ＥＩＺ２において、ソフトキー「戻る」およびソフトキー「ＯＫ」を用いて第１の問合せデータＡＤ１と共に伝送される国情報から１つの国を選択することが要求される。図１によればモバイルユニットＭＴのユーザは第２の入力状態ＥＩＺ２において、ソフトキー「ＯＫ」の操作でもって国選択「ドイツ」により第１の決定データＥＤ１を形成する。
【００２５】
ソフトキー「ＯＫ」の操作により、ユーザはさらに再びモバイルユニットＭＴのディスプレイＤＰＬ上の相応の出力によって第３の入力状態ＥＩＺ３において、ソフトキー「戻る」およびソフトキー「ＯＫ」を用いて、第２の問合せデータＡＤ２と共に伝送されるＩＳＰ情報から１つの「インターネットサービスプロバイダ」を選択することが要求される。図１によればモバイルユニットＭＴのユーザは第３の入力状態ＥＩＺ３において、ソフトキー「ＯＫ」の操作でもってプロバイダ選択「プロバイダ１」により第２の決定データＥＤ２を形成する。
【００２６】
ユーザインタフェースＢＳＳ（ソフトキーを有するディスプレイＤＰＬ）を介して形成される２つの決定データＥＤ１，ＥＤ２は中央制御装置ＺＳＥからＤＥＣＴエアインタフェースを介して基地局ＢＳ内の中央制御部ＺＳＴに伝送される。続いて決定データＥＤ１,ＥＤ２はこの中央制御部ＺＳＴからインターネット／機器インタフェースＩＧＳ、物理的なコネクションＰＶＢおよびインターネット／サーバインタフェースＩＳＳを介してコンフィギュレーション／ソフトウェア更新サーバＫＳＳ内の中央制御ユニットＺＳＴＥに転送される。ユーザインタフェースＢＳＳのディスプレイＤＰＬおよびソフトキーを用いる決定データＥＤ１，ＥＤ２の光学的な入力の代わりに、例えばユーザインタフェースＢＳＳのマイクロフォンＭＩＫを介してこれらの決定データＥＤ１，ＥＤ２を音声により入力することも可能である。
【００２７】
問合せデータＡＤ１，ＡＤ２も決定データＥＤ１，ＥＤ２もさらにそれぞれ個別的に、すなわちそれぞれ相互に別個に伝送することができるか、前述のように一緒に伝送することができる。
【００２８】
中央制御ユニットＺＳＴＥは決定データＥＤ１,ＥＤ２を受信した後に、この決定データＥＤ１,ＥＤ２に対応するコンフィギュレーションデータＫＦＤをコンフィギュレーションデータバンクＫＤＢから読み出し、このコンフィギュレーションデータＫＦＤをインターネット／サーバインタフェースＩＳＳ、物理的なコネクションＰＶＢおよびインターネット／機器インタフェースＩＧＳを介して基地局ＢＳ内の中央制御部ＺＳＴに伝送する。コンフィギュレーションデータＫＦＤは最終的に中央制御部ＺＳＴからＤＥＣＴエアインタフェースを介してモバイルユニットＭＴ内の中央制御装置ＺＳＥに転送され、この中央制御装置ＺＳＥはコンフィギュレーションデータＫＦＤをコンフィギュレーションデータメモリＫＤＳに記憶する。
【００２９】
記憶されたコンフィギュレーションデータＫＦＤおよび前述のサーバにおける認証により、モバイルユニットＭＴのユーザは原則的にコンフィギュレーション／ソフトウェア更新サーバＫＳＳと通信することができ、またコンフィギュレーション／ソフトウェア更新サーバＫＳＳに登録されている「コミュニティ」内で通信することもできる。このためにはユーザは開始されたＶｏＩＰコネクションアシスタントを終了するか中断しなければならない。しかしながらこのプロセスは図１を用いて説明する実施例の枠内においては記載されていない。
【００３０】
これに対してユーザがこのユーザによって選択された「インターネットサービスプロバイダ」のサービスも利用することを望んだ場合には、コンフィギュレーション／ソフトウェア更新サーバＫＳＳから受信した記憶されているコンフィギュレーションデータＫＦＤがさらにユーザ名ＢＮおよびパスワードＫＷと共にこのインターネットサービスプロバイダに伝送されなければならない。通常の場合ユーザはユーザ名ＢＮおよびパスワードＫＷを前述の「インターネットサービスプロバイダ」から事前に、例えば機密的な郵便またはユーザのＰＣにおける暗号化されたＥメールを介して入手している。
【００３１】
この事情を考慮するために、モバイルユニットＭＴのユーザは、第３の入力状態ＥＩＺ３においてソフトキー「ＯＫ」を操作した後に、再びモバイルユニットＭＴのディスプレイＤＰＬ上の相応の出力によって第４の入力状態ＥＩＺ４において、「インターネットサービスプロバイダ」から既に事前に入手していたユーザ名「ＨＲＥＬＳＳＥＷ」ＢＮをユーザインタフェースＢＳＳのキーフィールドのキーＴＡＳを用いて入力し、またソフトキー「戻る」およびソフトキー「ＯＫ」を用いて入力を制御することが要求される。入力制御は図１によればソフトキー「ＯＫ」の操作により行われる。
【００３２】
第３の入力状態ＥＩＺ３におけるソフトキー「ＯＫ」の操作により、再びユーザはモバイルユニットＭＴのディスプレイＤＰＬ上の相応の出力によって第５の入力状態ＥＩＺ５において、「インターネットサービスプロバイダ」から既に事前に入手していたパスワード「５７２８８１」ＫＷをユーザインタフェースＢＳＳのキーフィールドのキーＴＡＳを用いて入力し、ソフトキー「戻る」およびソフトキー「ＯＫ」を用いて入力を制御することが要求される。入力制御は図１によればソフトキー「ＯＫ」の操作により新たに行われ、これにより、図１には明示的に図示していないが、「インターネットサービスプロバイダ」にはモバイルユニットＭＴ内の中央制御装置ＺＳＥからＤＥＣＴエアインタフェース、基地局ＢＳの中央制御部ＺＳＴおよびインターネット／機器インタフェースＩＧＳおよび「インターネットサービスプロバイダ」との物理的なコネクションＰＶＢを介して、入力されたユーザ名「ＨＲＥＬＳＳＥＷ」ＢＮ、入力されたパスワード「５７２８１１」ＫＷおよびコンフィギュレーションデータメモリＫＤＳからのコンフィギュレーションデータＫＦＤが伝送される。「インターネットサービスプロバイダ」のサーバにおいては、伝送されたユーザ名「ＨＲＥＬＳＳＥＷ」ＢＮおよび伝送されたパスワード「５７２８１１」ＫＷが検査され、検査の結果が肯定であった場合にはコンフィギュレーションデータＫＦＤが記憶され、これにより「インターネットサービスプロバイダ」におけるサービス「ＶｏＩＰ」のための通信機器ＫＧのコンフィギュレーションが終了ないし完了する。
【００３３】
インターネット通信およびこれと共に提供される多数のサービスの利用に関して、前述の構成のヴァリエーションを有する通信機器ＫＧに関するソフトウェア更新が時に必要となる。
【００３４】
通信機器ＫＧにおけるソフトウェア更新を実施するためのデータの伝送は、モバイルユニットＭＴが通信機器ＫＧとコンフィギュレーション／ソフトウェア更新サーバＫＳＳとの間の物理的なコネクションＰＶＢを確立するために基地局ＢＳをパケット交換型のネットワークＰＮＷに接続することによって初期設定状態ＩＮＺに移行されることにより開始される。この初期設定状態ＩＮＺにおいてはモバイルユニットＭＴのディスプレイＤＰＬ上に指示テキスト「ＶｏＩＰコネクションアシスタントを開始しますか？」がソフトキー「はい」およびソフトキー「いいえ」と共に出力される。これに基づきモバイルユニットＭＴのユーザによってソフトキー「はい」が操作されると、コンフィギュレーションの開始前にソフトウェア更新が行われる。コンフィギュレーションの開始と同様に、モバイルユニットＭＴはソフトウェア更新の開始においても基地局ＢＳを介してコンフィギュレーション／ソフトウェア更新サーバＫＳＳとの論理的なコネクションＬＶＢを確立し、例えば論理的なコネクションの確立と共にモバイルユニット固有の機器識別子、例えばサーバには既知であるＩＰＵＩ、ＭＡＣアドレスまたはランダムにデフォルトで形成されるデータを伝送することによってサーバにおいて認証される。コンフィギュレーション／ソフトウェア更新サーバＫＳＳの中央制御ユニットＺＳＴＥによって識別される論理的なコネクションの確立により、この中央制御ユニットＺＳＴＥはソフトウェア更新データバンクＳＷＤＢの情報記憶領域ＩＳＰＢから指示データＨＷＤを読み出し、これらの指示データＨＷＤを通信機器ＫＧのユーザに通知するために、インターネット／サーバインタフェースＩＳＳ、物理的なコネクションＰＶＢおよびインターネット／機器インタフェースＩＧＳを介して基地局ＢＳの中央制御部ＺＳＴに伝送する。この中央制御部ＺＳＴから指示データＨＷＤがＤＥＣＴエアインタフェースを介してモバイルユニットＭＴ内の中央制御装置ＺＳＥに伝送される。
【００３５】
指示データＨＷＤはモバイルユニットＭＴにおいて、問合せデータＡＤ１，ＡＤ２と同様に、有利には光学的にユーザインタフェースＢＳＳのディスプレイＤＰＬを介して出力される。しかしながら、これらのデータを例えばユーザインタフェースＢＢＳのイヤホンＨＫを介して音響的に出力することもやはり可能である。
【００３６】
指示データＨＷＤの伝送により、コンフィギュレーション／ソフトウェア更新サーバＫＳＳから再び制御情報ＳＴＩが伝送され、この制御情報ＳＴＩによりモバイルユニットＭＴを初期設定状態ＩＮＺの後続状態において制御することができる。このために中央制御装置ＺＳＥには選択手段ＡＷＭが設けられており、これらの選択手段ＡＷＭは指示データＨＷＤと共に伝送される制御情報ＳＴＩを評価する。この評価の結果、中央制御装置ＺＳＥによってユーザインタフェースＢＳＳを介して入力状態ＥＩＺが形成され、ディスプレイＤＰＬに表示される。
【００３７】
第６の入力状態ＥＩＺ６においてはモバイルユニットＭＴのディスプレイＤＰＬ上に別の指示テキスト「ソフトウェアを更新しますか？」がやはりソフトキー「はい」およびソフトキー「いいえ」と共に出力される。これに基づきモバイルユニットＭＴのユーザがソフトキー「はい」を操作すると、ソフトウェアの更新を実施するというユーザの希望が中央制御装置ＺＳＥからＤＥＣＴエアインタフェース、基地局ＢＳ内の中央制御部ＺＳＴおよびインターネット／機器インタフェースＩＧＳ、物理的なコネクションＰＶＢおよびインターネット／サービスインタフェースＩＳＳを介してコンフィギュレーション／ソフトウェア更新サーバＫＳＳ内の中央制御ユニットＺＳＴＥに通知される。
【００３８】
中央制御ユニットＺＳＴＥはその後、ソフトウェア更新データバンクＳＷＤＢからソフトウェア更新データＳＷＡＤを読み出し、このソフトウェア更新データＳＷＡＤをインターネット／サーバインタフェースＩＳＳ、物理的なコネクションＰＶＢおよびインターネット／機器インタフェースＩＧＳを介して基地局ＢＳ内の中央制御部ＺＳＴに伝送する。最後に中央制御部ＺＳＴからコンフィギュレーションデータＫＦＤがＤＥＣＴエアインタフェースを介してモバイルユニットＭＴ内の中央制御装置ＺＳＥに転送され、この中央制御装置ＺＳＥはソフトウェア更新データＳＷＡＤをソフトウェア更新データメモリＳＷＤＳに記憶する。
【００３９】
図２は図１の実施形態に基づき通信機器ＫＧによりコンフィギュレーション／ソフトウェア更新サーバＫＳＳからコンフィギュレーションデータＫＦＤを取得するためのフローチャートを示す。
【００４０】
プロセス状態ＡＺ１では通信機器ＫＧにおいてＶｏＩＰコネクションアシスタントが開始される。続いて、第２のプロセス状態ＡＺ２では通信機器ＫＧにおいてＶｏＩＰプロバイダ選択が開始される。それに続く第３のプロセス状態ＡＺ３では、通信機器ＫＧがコンフィギュレーション／ソフトウェア更新サーバＫＳＳからユーザプロフィールのダウンロードを開始し、第４のプロセス状態ＡＺ４ではファームウェア／ソフトウェアアップデータまたはユーザプロフィールダウンロードが既に完了しているか否かが問い合わせられる。この問い合わせが「はい」で応答されると、通信機器ＫＧのディスプレイＤＰＬ上に第１のディスプレイ表示「実行不可能！後に再試行してください！」ＤＰＬ−Ｄ１が出力される。応答が「いいえ」の場合には、通信機器ＫＧはコンフィギュレーション／ソフトウェア更新サーバＫＳＳから国リストのダウンロードを開始する。第５のプロセス状態ＡＺ５では国リストのダウンロードが成功して終了しているか否かが検査される。検査の結果が否定である場合（問合せの応答は「いいえ」）、通信機器ＫＧのディスプレイＤＰＬ上に第２のディスプレイ表示「待機してください！」ＤＰＬ−Ｄ２が出力される。応答が「はい」の場合には、通信機器ＫＧのディスプレイには第３のディスプレイ表示「国選択」ＤＰＬ−Ｄ３が表示される。第６のプロセス状態ＡＺ６においては、「ＯＫ」キーのユーザ操作によって国が選択され、通信機器ＫＧのディスプレイ上には第４のディスプレイ表示「ソフトキー「戻る」およびソフトキー「ＯＫ」を備えたドイツ」ＤＰＬ−Ｄ４が表示され、通信機器ＫＧはコンフィギュレーション／ソフトウェア更新サーバＫＳＳからプロバイダリストのダウンロードを開始する。続けて第７のプロセス状態ＡＺ７では、プロバイダリストのダウンロードが成功して終了しているか否かが判明される。成功しなかったことが判明した場合（問合せの応答は「いいえ」）、通信機器ＫＧのディスプレイＤＰＬ上に第２のディスプレイ表示「待機してください！」ＤＰＬ−Ｄ２が再び出力される。他方では応答が「はい」の場合、通信機器ＫＧのディスプレイ上には第５のディスプレイ表示「プロバイダ選択」ＤＰＬ−Ｄ５が表示される。続く第８のプロセス状態ＡＺ８では、「ＯＫ」キーのユーザ操作によってプロバイダが選択され、通信機器ＫＧのディスプレイ上には第６のディスプレイ表示「ソフトキー「戻る」およびソフトキー「ＯＫ」を備えたプロバイダ１」ＤＰＬ−Ｄ６が表示される。続く第９のプロセス状態ＡＺ９では、第３のプロセス状態ＡＺ３において開始されたユーザプロファイルのダウンロードが成功して終了しているか否かが問い合わせられる。この問い合わせが「いいえ」で応答されると、通信機器ＫＧのディスプレイＤＰＬ上に第１のディスプレイ表示「実行不可能！後に再試行してください！」ＤＰＬ−Ｄ１、第７のディスプレイ表示「データセット損傷！」ＤＰＬ−Ｄ７、第８のディスプレイ表示「ＩＰセッティングを検査してください！」ＤＰＬ−Ｄ８、第９のディスプレイ表示「サーバ使用不可能！」ＤＰＬ−Ｄ９または第１０のディスプレイ表示「伝送エラー！」ＤＰＬ−Ｄ１０が出力される。応答が「はい」の場合には、第１０のプロセス状態ＡＺ１０でもってユーザプロフィールのダウンロードが終了され、通信機器ＫＧのディスプレイＤＰＬ上には第１１のディスプレイ表示「ユーザプロフィールが記憶されました」ＤＰＬ−Ｄ１１が表示される。
【図面の簡単な説明】
【００４１】
【図１】インターネットと接続されている通信機器のコンフィギュレーション／ソフトウェア更新のために必要とされるコンフィギュレーションパラメータ／ソフトウェアのコンフィギュレーション／ソフトウェアサーバからの取得方法を示す。
【図２】コンフィギュレーションパラメータを取得するためのフローチャートを示す。
【図１】
2008546265.tif 000003
【図２−１】
2008546265.tif 000004
【図２−２】
2008546265.tif 000005
【国際調査報告】
2008546265.tif 000006
2008546265.tif 000007
2008546265.tif 000008
2008546265.tif 000009